(57)【要約】【課題】ＩＰ通信での差別化【解決手段】インターネットを介した画像通信を行なう画像通信装置において、相手先に対応して、複数の通信方式の異なるアドレスを登録する手段、画像通信と通話の選択を行なう手段を有し、画像通信が選択時は、画像通信を実行する複数のアドレスの中から１つのアドレスを決定して、画像通信を実行し、通話が選択時は、通話を実行する複数のアドレスの中から１つのアドレスを決定して、呼接続を実行する。【選択図】        図１
2005051378.tif 000002
【特許請求の範囲】
【請求項１】
インターネットを介した画像通信を行なう画像通信装置において、相手先に対応して、複数の通信方式の異なるアドレスを登録する手段、画像通信と通話の選択を行なう手段を有し、画像通信が選択時は、画像通信を実行する複数のアドレスの中から１つのアドレスを決定して、画像通信を実行し、通話が選択時は、通話を実行する複数のアドレスの中から１つのアドレスを決定して、呼接続を実行する事を特徴とする画像通信装置。
【請求項２】
前記、画像通信を行なうアドレスとして、ストアアンドフォワード方式で画像通信を行なうアドレス、リアルタイム方式で画像通信を行なうアドレス、ＩＰ電話網にて見なし音声で画像通信を実行するアドレス、通常のアナログファクシミリ通信を実行するアドレスとすることを特徴とする請求項１に記載の画像通信装置。
【請求項３】
前記、通話を行なうアドレスとして、ＩＰ電話を実行するアドレス、通常のアナログ通話を実行するアドレスとすることを特徴とする請求項１、２に記載の画像通信装置。
【請求項４】
前記、画像通信を行なうアドレスとして、相手先に対応して、複数のアドレスが登録されている時、接続するアドレスに優先順位がある事を特徴とする請求項１、２、３に記載の画像通信装置。
【請求項５】
前記、通話を行なうアドレスとして、相手先に対応して、複数のアドレスが登録されている時、接続するアドレスに優先順位がある事を特徴とする請求項１、２、３、４に記載の画像通信装置。
【請求項６】
インターネットを介した画像通信を行なう画像通信方式において、相手先に対応して、複数の通信方式の異なるアドレスを登録する手段、画像通信と通話の選択を行なう手段を有し、画像通信が選択時は、画像通信を実行する複数のアドレスの中から１つのアドレスを決定して、画像通信を実行し、通話が選択時は、通話を実行する複数のアドレスの中から１つのアドレスを決定して、呼接続を実行する事を特徴とする画像通信方式。
【請求項７】
前記、画像通信を行なうアドレスとして、ストアアンドフォワード方式で画像通信を行なうアドレス、リアルタイム方式で画像通信を行なうアドレス、ＩＰ電話網にて見なし音声で画像通信を実行するアドレス、通常のアナログファクシミリ通信を実行するアドレスとすることを特徴とする請求項１に記載の画像通信方式。
【請求項８】
前記、通話を行なうアドレスとして、ＩＰ電話を実行するアドレス、通常のアナログ通話を実行するアドレスとすることを特徴とする請求項１、２に記載の画像通信方式。
【請求項９】
前記、画像通信を行なうアドレスとして、相手先に対応して、複数のアドレスが登録されている時、接続するアドレスに優先順位がある事を特徴とする請求項１、２、３に記載の画像通信方式。
【請求項１０】
前記、通話を行なうアドレスとして、相手先に対応して、複数のアドレスが登録されている時、接続するアドレスに優先順位がある事を特徴とする請求項１、２、３、４に記載の画像通信方式。
【発明の詳細な説明】
【０００１】
【発明の属する技術分野】
本発明は、インターネットを介した画像通信を行なう画像通信装置、及び、方式に関するものである。
【０００２】
【従来の技術】
従来、ネットワークとして、例えばインターネットを介してファクシミリ通信可能なファクシミリ装置では、例えばストアアンドフォワード方式により通信を実行していた。また、イントーネットを介したファクシミリ通信が成功しない時、アナログ電話回線にダイヤルして、ＩＴＵ−Ｔ勧告Ｔ．３０に基ずいたファクシミリ通信を実行する提案は存在している。（例えば特許文献１）
【特許文献１】
特開平１１−１７８３４号
【０００３】
【発明が解決しようとする課題】
しかしながら、インターネットを介した画像通信の通信方式も複数存在してきており、これらの複数の画像通信方式の中から１つを選択し、柔軟にインターネットを介した画像通信を切り替えたいというニーズがあり、また、同一、宛先に通話目的で接続するケースがあり、しかも、これらの通話に対しても、複数の通話方式が存在し、ユーザは、これらの通話方式の選択も含めて、混乱してしまうという欠点があった。
【０００４】
本発明は、上記課題を解決するためになされたものであり、インターネットを介した画像通信、及び、通話を円滑に、ユーザに負担をかけないで実行できる画像通信装置、及び、方式を提供することを目的とする。
【０００５】
【課題を解決するための手段】
上記目的を達成するために、本発明は、宛先に対応して、インターネットを介した画像通信を行なう複数の画像通信方式のアドレスを登録する手段、及び、通話を行なう複数の通話方式のアドレスを登録する手段を有し、画像通信が選択時は、この宛先に対応して登録されている複数のアドレスから通信を実行するアドレスを自動的に選択し、通話が選択時は、この宛先に対応して登録されている複数のアドレスから通話を実行するアドレスを自動的に選択して、相手と接続して、ユーザには簡単操作で、目的の画像通信、通話を実現できる。
【０００６】
また上記目的を達成するために、インターネットを介した画像通信、及び、通話のアドレスは複数登録されているが、設定してある優先順位に従い、アドレス選択を実行できるというメリットを有する。
【０００７】
【発明の実施の形態】
以下、図面を参照しながら本発明に係る実施の形態を詳細に説明する。
【０００８】
図１には、本発明の実施の形態であるファクシミリ装置がブロック図として図示されている。
【０００９】
２は、ＮＣＵ（網制御装置）で、電話網をデータ通信等に使用するために、その回線の端末に接続し、電話交換網の接続制御を行ったり、データ通信路への切り替えを行ったり、ループの保持を行なうものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１０】
４は、電話機である。電話機４から信号線２ｂには、アナログ音声信号が入出力され、信号線４ａには、デジタル化した音声信号が入出力される。
【００１１】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１２】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基ずいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１３】
１０は、発呼回路であり、バス２６からの信号により、電話番号情報を入力し、信号線１０ａにＤＴＭＦの選択信号を出力する。
【００１４】
１２は、加算回路であり、信号線８ａの情報と信号線１０ａの情報を入力し、加算した結果を信号線１２ａに出力する。
【００１５】
１４は、読取回路であり、読み取りデータをバス２６に出力する。
【００１６】
１６は、記録回路であり、バス２６に出力されている情報を順次１ライン毎に記録する。
【００１７】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００１８】
メモリ１８には、ワンタッチダイヤルに対応し、通話用電話番号、通話用ＩＰ電話網の電話番号、Ｅメールアドレス、ＵＲＬアドレス、通信用電話番号、通信用ＩＰ電話網の電話番号を登録する登録部が存在し、信号線２６を介して、入出力する。具体例が、図２（１）に図示されている。
【００１９】
また、メモリ１８には、通話用アドレス２ケ、通信用アドレス４ケに対しての優先順位を登録できる。具体例が、図２（２）に図示されている。
【００２０】
２０は、操作部であり、ワンタッチダイヤル、短縮ダイヤル、テンキー、＊キー、＃キー、スタートキー、ストップキー、セットキー、通信／通話を選択するキー、その他のファンクションキーがあり、押下されたキー情報はバス２６に出力される。
【００２１】
操作部には、表示部があり、バス２６に出力されている情報を入力し、表示する。
【００２２】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２３】
２６は、バスである。
【００２４】
２８は、ネットワークカードであり、信号線２８ａはイーサネット（登録商標）である。
【００２５】
２４は、インターネットを介した画像通信を行なう画像通信装置において、相手先に対応して、複数の通信方式の異なるアドレスを登録する手段、画像通信と通話の選択を行なう手段を有し、画像通信が選択時は、画像通信を実行する複数のアドレスの中から１つのアドレスを決定して、画像通信を実行し、通話が選択時は、通話を実行する複数のアドレスの中から１つのアドレスを決定して、呼接続を実行する。ここで、画像通信を行なうアドレスとして、ストアアンドフォワード方式で画像通信を行なうアドレス、リアルタイム方式で画像通信を行なうアドレス、ＩＰ電話網にて見なし音声で画像通信を実行するアドレス、通常のアナログファクシミリ通信を実行するアドレスとする。また、通話を行なうアドレスとして、ＩＰ電話を実行するアドレス、通常のアナログ通話を実行するアドレスとする。
【００２６】
画像通信を行なうアドレスとして、相手先に対応して、複数のアドレスが登録されている時、接続するアドレスに優先順位があり、通話を行なうアドレスとして、相手先に対応して、複数のアドレスが登録されている時、接続するアドレスに優先順位がある。
【００２７】
以上の制御プログラムが格納されている。
【００２８】
図３、４、５、６、７、８、９には、図１の制御の流れ図が図示されている。
【００２９】
図３において、Ｓ０は、始めを表している。
【００３０】
Ｓ２は、バス２６を介して、メモリ１８をイニシャライズする事を表している。
【００３１】
Ｓ４は、バス２６を介して、操作部の表示部をクリアする事を表している。
【００３２】
Ｓ６では、バス２６を介してＮＣＵ２のＣＭＬをオフする。
【００３３】
Ｓ８では、操作部の情報を入力し、ワンタッチダイヤルの登録が選択されたか否かが判断され、ＹＥＳであるとＳ１０に進み、メモリ１８にワンタッチダイヤルに対応し、通信用のアドレス、通話用のアドレスを登録（例えば、図２（１）に示す様に登録する）し、ＮＯであるとＳ１２に進む。
【００３４】
Ｓ１２では、操作部の情報を入力し、通話、あるいは、通信が選択されたか否かが判断され、ＹＥＳであるとＳ２４に進み、ＮＯであるとＳ１４に進み、その他の処理をする。
【００３５】
Ｓ１６では、操作部の情報を入力し、通話方式の優先順位の登録が選択されたか否かが判断され、ＹＥＳであるとＳ１８に進み、通話方式の優先順位を登録（例えば、図２（２）に示す様に登録する）し、ＮＯであるとＳ１８に進む。
【００３６】
Ｓ２０では、操作部の情報を入力し、通信方式の優先順位の登録が選択されたか否かが判断され、ＹＥＳであるとＳ２２に進み、通信方式の優先順位を登録（例えば、図２（２）に示す様に登録する）し、ＮＯであるとＳ６に進む。
【００３７】
Ｓ２２では、操作部の情報を入力し、通話が選択されたか否かが判断され、ＹＥＳであるとＳ２６に進み、ＮＯである、すなわち、通信が選択されるとＳ５０に進む。
【００３８】
Ｓ２６では、カウンタｋに１をセットする。
【００３９】
Ｓ２８では、メモリ１８の情報を入力し、通話方式のｋ番目の優先順位をチェックし、この宛先に存在するか否かが判断され、ＹＥＳであるとＳ３０に進み、ＮＯであるとＳ６に進む。
【００４０】
Ｓ３０では、メモリ１８の情報を入力し、通話方式のｋ番目の優先順位はＩＰ電話のアドレスであるか否かが判断され、ＹＥＳであるとＳ３２に進み、ＮＯである、すなわち、アナログ通話のアドレスであるとＳ４０に進む。
【００４１】
Ｓ３２は、ネットワーク経由でのＩＰ電話接続のトライを表している。
【００４２】
Ｓ３４では、ＩＰ電話網での通話に成功したか否かが判断され、ＹＥＳであるとＳ３８に進み、ＮＯであるとＳ３６に進む。
【００４３】
Ｓ３６では、カウンタｋの値を１つインクリする。
【００４４】
Ｓ３８は、ネットワーク経由でのＩＰ電話の実行を表している。ここで、電話機からは、デジタル音声を出力する。
【００４５】
Ｓ４０では、バス２６を介して、ＮＣＵ２のＣＭＬをオンする。
【００４６】
Ｓ４２では、バス２６を介して発呼回路により、指定された宛先へ発呼する。
【００４７】
Ｓ４４では、相手受信機が応答したか否かが判断されＹＥＳであるとＳ４６に進み、ＮＯであるとＳ３６に進む。
【００４８】
Ｓ４６では、所定時間以内にハンドセットがオフフックされたか否かが判断されＹＥＳであるとＳ４８に進み、通話（電話機からはアナログ音声信号が出力）を実行し、ＮＯであるとＳ６に進む。
【００４９】
Ｓ５０では、カウンタｋに１をセットする。
【００５０】
Ｓ５２では、メモリ１８の情報を入力し、通信方式のｋ番目の優先順位をチェックし、この宛先に存在するか否かが判断され、ＹＥＳであるとＳ５４に進み、ＮＯであるとＳ６に進む。
【００５１】
Ｓ５４では、メモリ１８の情報を入力し、通信方式のｋ番目の優先順位はストアアンドフォワードのアドレスであるか否かが判断され、ＹＥＳであるとＳ５６に進み、ＮＯであるとＳ６４に進む。
【００５２】
Ｓ５６は、ネットワーク経由でのＥ−ｍａｉｌ送信のトライを表している。
【００５３】
Ｓ５８では、Ｅ−ｍａｉｌ送信に成功したか否かが判断され、ＹＥＳであるとＳ６０に進み、ＮＯであるとＳ６２に進む。
【００５４】
Ｓ６０は、ネットワーク経由で、原稿情報をＥ−ｍａｉｌ送信する事を表している。
【００５５】
Ｓ６２では、カウンタｋの値を１つインクリする。
【００５６】
Ｓ６４では、メモリ１８の情報を入力し、通信方式のｋ番目の優先順位はリアルタイム通信のアドレスであるか否かが判断され、ＹＥＳであるとＳ６８に進み、ＮＯであるとＳ６６に進む。
【００５７】
Ｓ６６では、メモリ１８の情報を入力し、通信方式のｋ番目の優先順位はＩＰ電話網にて見なし音声通信のアドレスであるか否かが判断され、ＹＥＳであるとＳ７４に進み、ＮＯである、すなわち、アナログファクシミリ通信のアドレスであるとＳ８０に進む。
【００５８】
Ｓ６８は、ネットワーク経由でＩＰＰ−ＦＡＸ送信のトライを表している。
【００５９】
Ｓ７０では、ＩＰＰ−ＦＡＸ送信に成功したか否かが判断され、ＹＥＳであるとＳ７２に進み、ＮＯであるとＳ６２に進む。
【００６０】
Ｓ７２は、ネットワーク経由で、原稿情報をＩＰＰ−ＦＡＸ送信する事を表している。
【００６１】
Ｓ７４は、ネットワーク経由でのＩＰ電話網への接続のトライを表している。
【００６２】
Ｓ７６では、ＩＰ電話網への接続トライに成功したか否かが判断され、ＹＥＳであるとＳ７８に進み、ＮＯであるとＳ６２に進む。
【００６３】
Ｓ７８は、ネットワーク経由でのＩＰ電話網を利用し、見なし音声にて、ファクシミリ送信の実行を表している。
【００６４】
Ｓ８０では、バス２６を介して、ＮＣＵ２のＣＭＬをオンする。
【００６５】
Ｓ８２では、バス２６を介して発呼回路により、指定された宛先へ発呼する。
【００６６】
Ｓ８４では、ファクシミリ通信のスタートに成功したか否かが判断されＹＥＳであるとＳ８６に進み、ＮＯであるとＳ６に進む。
【００６７】
Ｓ８６は、ＩＴ−Ｔ勧告のＴ．３０、Ｔ．４、Ｖ．３４、Ｖ．１７、Ｖ．２９、Ｖ．２７ｔｅｒに基ずいたファクシミリ送信の実行を表している。
【００６８】
尚、本発明は複数の機器（例えば、ホストコンピュータ，インタフェイス機器，リーダ，プリンタなど）から構成されるシステムに適用しても、一つの機器からなる装置（例えば、複写機，ファクシミリ装置など）に適用してもよい。
【００６９】
また、本発明の目的は前述した実施形態の機能を実現するソフトウェアのプログラムコードを記録した記憶媒体を、システム或いは装置に供給し、そのシステム或いは装置のコンピュータ（ＣＰＵ若しくはＭＰＵ）が記憶媒体に格納されたプログラムコードを読出し実行することによっても、達成されることは言うまでもない。
【００７０】
この場合、記憶媒体から読出されたプログラムコード自体が前述した実施形態の機能を実現することになり、そのプログラムコードを記憶した記憶媒体は本発明を構成することになる。
【００７１】
プログラムコードを供給するための記憶媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００７３】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００７４】
【発明の効果】
以上説明したように本発明によれば、宛先に対応して、インターネットを介した画像通信を行なう複数の画像通信方式のアドレスを登録する手段、及び、通話を行なう複数の通話方式のアドレスを登録する手段を有し、画像通信が選択時は、この宛先に対応して登録されている複数のアドレスから通信を実行するアドレスを自動的に選択し、通話が選択時は、この宛先に対応して登録されている複数のアドレスから通話を実行するアドレスを自動的に選択して、相手と接続して、ユーザには簡単操作で、目的の画像通信、通話を実現できる。
【００７５】
また、インターネットを介した画像通信、及び、通話のアドレスは複数登録されているが、設定してある優先順位に従い、アドレス選択を実行できるというメリットを有する。
【図面の簡単な説明】
【図１】本発明によるファクシミリ装置の実施例のブロック図
【図２】メモリ１８の具体例
【図３】本発明による制御の流れ図
【図４】本発明による制御の流れ図
【図５】本発明による制御の流れ図
【図６】本発明による制御の流れ図
【図７】本発明による制御の流れ図
【図８】本発明による制御の流れ図
【図９】本発明による制御の流れ図
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  ネットワークカード
【図１】
2005051378.tif 000003
【図２】
2005051378.tif 000004
【図３】
2005051378.tif 000005
【図４】
2005051378.tif 000006
【図５】
2005051378.tif 000007
【図６】
2005051378.tif 000008
【図７】
2005051378.tif 000009
【図８】
2005051378.tif 000010
【図９】
2005051378.tif 000011